【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
共振周波数を有する第１の信号を供給する参照用共振器、該参照用共振器に結合された増幅器、及び該参照用共振器に結合され複数の周波数のうちで、第１の周波数を有する共振周波数を選択する周波数コントローラとからなる装置において、
該周波数コントローラは、第１の複数の係数を記憶する係数レジスタと、該係数レジスタと該参照用共振器とに結合された複数のスイッチ可能な容量性モジュールを有する第１のアレイとからなる装置。
【請求項２】
請求項１に記載の装置において、更に該参照用共振器に結合された周波数分割器であって、該第１の周波数を有する第１の信号を該第１の周波数以下の第２の複数の周波数をそれぞれ有する第２の複数の信号に分割している周波数分割器を含む装置。
【請求項３】
請求項２に記載の装置において、該周波数分割器は方形波ジェネレータを含み、該方形波ジェネレータは該第１の信号を実質的に高レベルと低レベルが同じであるデューティサイクルの方形波信号に変換しているものである装置。
【請求項４】
請求項２に記載の装置において、更に該周波数分割器に結合されて、該第２の複数の信号が出力信号を供給する周波数セレクタを含む装置。
【請求項５】
請求項４に記載の装置において、該周波数セレクタはマルチミキサとグリッチサプレッサとからなる装置。
【請求項６】
請求項４に記載の装置において、更に該周波数セレクタに結合されて、複数の動作モードを提供するモードセレクタを含み、該複数の動作モードはクロックモード、タイミングと周波数参照モード、電力節約モード及びパルスモードのグループから選択されたものである装置。
【請求項７】
請求項６に記載の装置において、更に該モードセレクタに結合された同期回路、及び該同期回路に結合され第３の信号を供給する制御された発振器とを含み、
タイミングと周波数参照モードにおいて、該モードセレクタは該出力信号を該同期回路に結合して該第３の信号のタイミングと周波数を制御している装置。
【請求項８】
請求項１に記載の装置において、該増幅器は更に負の相互コンダクタンス増幅器を含み、該周波数コントローラが温度に応答して該負の相互コンダクタンス増幅器を介して電流を調節している装置。
【請求項９】
請求項８に記載の装置において、該周波数コントローラは温度に応答する電流源を含み、該電流源はＣＴＡＴ、ＰＴＡＴ及びＰＴＡＴ２構成からなる複数の構成から選択された１つ又は複数の構成を有している装置。
【請求項１０】
請求項８に記載の装置において、該周波数コントローラは更に、電圧に応答して負の相互コンダクタンス増幅器を流れる電流を修正し、又負の相互コンダクタンスを修正して共振周波数を選択している装置。
【請求項１１】
請求項１に記載の装置において、該周波数コントローラは更に、該共振器に結合され電圧変更から該共振器を隔離する電圧アイソレータを含み、該電圧アイソレータはカスケード構造の電流ミラー回路からなる装置。
【請求項１２】
請求項１に記載の装置において、該周波数コントローラは構成プロセスの変動、温度変動、又は電圧変動に応答して、該共振器のキャパシタンス又はインダクタンスを修正している装置。
【請求項１３】
請求項１に記載の装置において、該第１のアレイのスイッチ可能な容量性モジュールの各々は固定キャパシタンスと可変キャパシタンスを有し、容量性モジュール各々は該第１の複数の係数の対応する係数に応答して該固定キャパシタンスと該可変キャパシタンスとの間でスイッチし及び各可変キャパシタンスを制御電圧にスイッチしている装置。
【請求項１４】
請求項１３に記載の装置において、該周波数コントローラは更に、
該係数レジスタに結合された複数のスイッチ可能な抵抗性モジュールと容量性モジュールとを有する第２のアレイであって、該容量性モジュールと該複数のスイッチ可能な抵抗性モジュールは更にノードに結合されて制御電圧を供給しており、該スイッチ可能な抵抗性モジュール各々は該係数レジスタに記憶されている第２の複数の係数の対応する係数に応答して該スイッチ可能な抵抗性モジュールを制御電圧ノードへとスイッチしている第２のアレイ、及び
該第２のアレイに電流ミラー回路を介して結合された温度依存性電流源とを含む装置。
【請求項１５】
請求項１に記載の装置において、該周波数コントローラは更に、該共振器に結合され、構築プロセス変動に応答して共振周波数を修正するプロセス変動補償器を含み、
該プロセス変動補償器は、複数の係数を記憶する係数レジスタと、該係数レジスタと該共振器とに結合された複数のスイッチ可能な容量性モジュールを有するアレイを含み、
該容量性モジュール各々は第１の固定キャパシタンスと第２の固定キャパシタンスを有し、該複数の係数の対応する係数に応答して該第１と第２の固定キャパシタンスの間でスイッチをしている装置。
【請求項１６】
請求項１３、１４又は１５に記載の装置において、該複数のスイッチ可能な容量性モジュール又は抵抗性モジュールはバイナリ重み付けされている装置。
【請求項１７】
請求項１５に記載の装置において、該プロセス変動補償器は更に、
複数の係数を記憶する係数レジスタ、及び
該係数レジスタと該共振器とに結合された複数のスイッチ可能な容量性モジュールを有するアレイであって、該スイッチ可能な容量性モジュール各々は該複数の係数の対応する係数に応答して第１の電圧と第２の電圧との間でスイッチをしているものであるアレイを含む装置。
【請求項１８】
請求項１５に記載の装置において、該プロセス変動補償器は更に、
複数の係数を記憶する係数レジスタ、及び
該係数レジスタと該共振器とに結合された複数のスイッチ可能な容量性モジュールを有するアレイであって、該スイッチ可能な容量性モジュール各々は固定キャパシタンスとヒューズを有しそして該複数の係数の対応する係数に応答してヒューズを切断しているアレイとを含む装置。
【請求項１９】
請求項１に記載の装置において更に、該周波数コントローラに結合され、参照信号に応答して共振周波数を修正する周波数較正モジュールを含む装置。
【請求項２０】
請求項１９に記載の装置において、該周波数較正モジュールは、
該周波数コントローラに結合され、該第１の周波数を有する第１の信号から導かれた出力信号を低周波数に変換して分周信号を供給する周波数分割器、
該周波数分割器に結合され、該参照信号を該分周信号に比較して１つ又は複数のアップ信号又はダウン信号を供給する周波数検出器、及び
該周波数検出器に結合され、該出力信号と該参照信号の間の差の指示として、該１つ又は複数のアップ信号又はダウン信号の間での差を決定しているパルスカウンタとからなる装置。
【請求項２１】
請求項１に記載の装置において、該共振器はＬＣタンクを形成するよう結合されたインダクタＬとキャパシタＣからなり、該ＬＣタンクは複数のＬＣタンク構成の選択された構成を有し、又は該共振器はセラミック共振器、機械的共振器、マイクロ電気機械共振器及びフィルムバルク音響共振器からなるグループから選択されたものである装置。
【請求項２２】
請求項１に記載の装置において、該周波数コントローラは更に、増幅器に結合された温度補償器、該共振器に結合された電圧アイソレータ、及び該共振器に結合されたプロセス変動補償器とを含む装置。
【請求項２３】
請求項１に記載の装置において更に、
第２の発振器出力信号を供給する第２の発振器、及び
該第２の発振器と該周波数コントローラとに結合され、該第２の発振器出力へとスイッチして電力節減モードを提供するか又はパルス出力信号を提供するよう該共振器を周期的に開始と停止をしているモードセレクタとを含む装置。
【請求項２４】
請求項１に記載の装置を動作する方法において、
共振周波数を有する共振信号を発生し、
温度に応答して該共振周波数を調節し、
構築プロセスの変動に応答して該共振周波数を調節し、
該共振周波数を有する共振信号を対応する複数の周波数を有する複数の第２の信号に分割し、ここで該複数の周波数は該共振周波数以下であり、そして
該複数の第２の信号から出力信号を選択している方法。
【請求項２５】
共振周波数を有する第１の信号を供給する参照用共振器、
該共振器に結合された増幅器、
該参照用共振器と該増幅器とに結合され、温度に応答して該共振周波数を修正する温度補償器と、
該共振器に結合され、該共振周波数を有する該第１の信号を対応する複数の周波数を有する複数の第２の信号に分割する周波数分割器であって、該複数の周波数は該共振周波数以下である周波数分割器、及び
該周波数分割器に結合され、該複数の第２の信号から出力を与える周波数セレクタとからなる装置。
【請求項２６】
請求項２５に記載の装置において、該温度補償器は更に、
第１の複数の係数と第２の複数の係数を記憶する係数レジスタ、
該係数レジスタと該共振器とに結合された複数のバイナリ重み付けスイッチ可能なキャパシタンス枝を有する第１のアレイであって、該スイッチ可能なキャパシタンス枝各々は固定キャパシタンスと可変キャパシタンスとからなりそして該第１の複数の係数の対応する係数に応答して該固定キャパシタンスと該可変キャパシタンスとの間でスイッチし又該可変キャパシタンスを制御電圧ノードへとスイッチしている第１のアレイ、
該制御電圧ノードに結合され、該係数レジスタに結合された複数のスイッチ可能な抵抗性モジュールと固定キャパシタンスを有する第２のアレイであって、該スイッチ可能な抵抗性モジュールの各々が該第２の複数の係数の対応する係数に応答して該スイッチ可能な抵抗性モジュールを該制御電圧ノードへとスイッチしている第２のアレイ、及び
該第２のアレイへ電流ミラー回路を介して結合された温度依存性電流源とからなる装置。
【請求項２７】
請求項２５に記載の装置において、該プロセス変動補償器は更に、
複数の係数を記憶する係数レジスタ、
該係数レジスタと該共振器とに結合された複数のバイナリ重み付けされたスイッチ可能な容量性モジュールを有するアレイであって、該スイッチ可能な容量性モジュール各々は第１の固定キャパシタンスと第２の固定キャパシタンスを有し、そして該複数の係数の対応する係数に応答して該第１と第２の固定キャパシタンス間でスイッチしているアレイ、及び
参照信号に応答して該複数の係数を発生する周波数較正モジュールとからなる装置。
【請求項２８】
請求項２５に記載の装置において、該プロセス変動補償器は更に、
複数の係数を記憶する係数レジスタ、
該係数レジスタと該共振器とに結合された複数のバイナリ重み付けされたスイッチ可能な可変容量性モジュールを有するアレイであって、該スイッチ可能な可変容量性モジュール各々は該複数の係数の対応する係数に応答して第１の電圧と第２の電圧との間でスイッチするアレイ、及び
参照信号に応答して該複数の係数を発生する周波数較正モジュールとからなる装置。